(57)【要約】【課題】ユーザーが所望の放送サービスを視聴したい場合に的確に操作できること。【解決手段】テレビジョン放送を受信する受信装置に対して制御信号を送信する遠隔操作装置は、第１の動作位置と第２の動作位置とを切り替え可能な切替部と、切替部が第１の動作位置と第２の動作位置とのいずれに切り換えられた状態であるかに応じて、受信装置が受信する放送サービスを選択する制御信号を送信する制御部と、を備える。【選択図】図２
2017055284.tif 000002
【特許請求の範囲】
【請求項１】
テレビジョン放送を受信する受信装置に対して制御信号を送信する遠隔操作装置であって、
第１の動作位置と第２の動作位置とを切り替え可能な切替部と、
前記切替部が前記第１の動作位置と前記第２の動作位置とのいずれに切り換えられた状態であるかに応じて、前記受信装置が受信する放送サービスを選択する制御信号を送信する制御部と、
を備える遠隔操作装置。
【請求項２】
前記放送サービスには、第１の放送サービスと前記第１の放送サービスと解像度が異なる第２の放送サービスとが含まれ、
前記制御部は、
前記切替部が前記第１の動作位置に切り換えられた状態では前記第１の放送サービスに対応する制御信号を送信し、
前記切替部が前記第２の動作位置に切り換えられた状態では前記第２の放送サービスに対応する制御信号を送信する、
請求項１に記載の遠隔操作装置。
【請求項３】
選局用の複数の数字キー、
を備え、
前記制御部は、
前記切替部が前記第１の動作位置に切り換えられた状態では、前記数字キーに対する操作に応じて前記第１の放送サービスにおける選局を示す制御信号を送信し、前記切替部が前記第２の動作位置に切り換えられた状態では、前記数字キーに対する操作に応じて前記第２の放送サービスにおける選局を示す制御信号を送信する、
請求項２に記載の遠隔操作装置。
【請求項４】
前記制御部は、
前記第１の放送サービスと前記第２の放送サービスとを区別可能な情報を示す少なくとも１ｂｉｔの情報を含む制御信号を送信する、
請求項２または請求項３に記載の遠隔操作装置。
【請求項５】
テレビジョン放送を受信する受信装置に対して制御信号を送信する、第１の動作位置と第２の動作位置とが切り替えられる切替部を備えた遠隔操作装置の制御方法であって、
制御部が、前記切替部が前記第１の動作位置と前記第２の動作位置とのいずれであるかに応じて、前記受信装置が受信する放送サービスを選択する制御信号を送信する
制御方法。
【請求項６】
テレビジョン放送を受信する受信装置に対して制御信号を送信する、第１の動作位置と第２の動作位置とが切り替えられる切替部を備えた遠隔操作装置のコンピュータに、
前記切替部が前記第１の動作位置と前記第２の動作位置とのいずれであるかに応じて、前記受信装置が受信する放送サービスを選択する制御信号を送信するステップ、
を実行させるためのプログラム。
【発明の詳細な説明】
【技術分野】
【０００１】
本発明は、遠隔操作装置、制御方法、及びプログラム。
【背景技術】
【０００２】
テレビジョン受信装置の選局は、主にリモートコントローラ（以下、リモコンという）を用いた操作で行われる。例えば、特許文献１には、インターネット等のネットワークへの接続機能を有するテレビジョン受信装置のリモコンに関する技術が開示されている。この特許文献１に記載のリモコンは、数字キーを、テレビの制御機能に用いるか、またはネットワーク上のサイトにアクセスするための入力機能に用いるかを切り替えるスライドスイッチ（シャッター）を備えている。
【先行技術文献】
【特許文献】
【０００３】
【特許文献１】特開２００９−３３５３３号公報
【発明の概要】
【発明が解決しようとする課題】
【０００４】
ところで、デジタル放送においてスーパーハイビジョン（ＳＨＶ：Ｓｕｐｅｒ  Ｈｉ−Ｖｉｓｉｏｎ）放送が開始されるが、開始当初はハイビジョン（ＨＶ：Ｈｉ−Ｖｉｓｉｏｎ）放送も同時に放送されることになる。この場合、例えば特許文献１に記載されているような従来のリモコンでは、ＨＶとＳＨＶを切り替えることはできないため、リモコンにＨＶとＳＨＶを切り替え可能な操作釦が新たに必要になる。例えば、地上ジタル放送、ＢＳデジタル放送、及びＣＳデジタル放送を切り替えるための一般的な操作釦と同様に押し釦式の操作釦をＨＶとＳＨＶとを切り替え可能な操作釦として設けることが考えられる。
【０００５】
しかしながら、地上ジタル放送、ＢＳデジタル放送、及びＣＳデジタル放送の一部または全てでＨＶとＳＨＶとの同時放送が行われると、テレビジョン受信装置の受信状態によっては所望のチャンネルを選局する際に、ＨＶとＳＨＶとを切り替え可能な操作釦、地上ジタル放送、ＢＳデジタル放送、及びＣＳデジタル放送を切り替えるための操作釦、及び選局用の数字キー等のリモコンキーを複数回押下する必要が生じる。また、同じ番組をＨＶとＳＨＶで放送しているため、受信中の番組がＨＶとＳＨＶのいずれが選択されている状態かが判りにくい。そのため、ユーザーが所望の放送サービスを視聴したい場合に操作に戸惑ってしまうことがある。
【０００６】
本発明は上記の点に鑑みてなされたものであり、ユーザーが所望の放送サービスを視聴したい場合に的確に操作できる遠隔操作装置、制御方法、及びプログラムを提供することを課題とする。
【課題を解決するための手段】
【０００７】
本発明は上記の課題を解決するためになされたものであり、本発明の一態様は、テレビジョン放送を受信する受信装置に対して制御信号を送信する遠隔操作装置であって、第１の動作位置と第２の動作位置とを切り替え可能な切替部と、前記切替部が前記第１の動作位置と前記第２の動作位置とのいずれに切り換えられた状態であるかに応じて、前記受信装置が受信する放送サービスを選択する制御信号を送信する制御部と、を備える遠隔操作装置である。
【０００８】
また、本発明の一態様は、上記遠隔操作装置において、前記放送サービスには、第１の放送サービスと前記第１の放送サービスと解像度が異なる第２の放送サービスとが含まれ、前記制御部は、前記切替部が前記第１の動作位置に切り換えられた状態では前記第１の放送サービスに対応する制御信号を送信し、前記切替部が前記第２の動作位置に切り換えられた状態では前記第２の放送サービスに対応する制御信号を送信する。
【０００９】
また、本発明の一態様は、上記遠隔操作装置は、選局用の複数の数字キー、を備え、前記制御部は、前記切替部が前記第１の動作位置に切り換えられた状態では、前記数字キーに対する操作に応じて前記第１の放送サービスにおける選局を示す制御信号を送信し、前記切替部が前記第２の動作位置に切り換えられた状態では、前記数字キーに対する操作に応じて前記第２の放送サービスにおける選局を示す制御信号を送信する。
【００１０】
また、本発明の一態様は、上記遠隔操作装置において、前記制御部は、前記第１の放送サービスと前記第２の放送サービスとを区別可能な情報を示す少なくとも１ｂｉｔの情報を含む制御信号を送信する。
【００１１】
また、本発明の一態様は、上記遠隔操作装置において、テレビジョン放送を受信する受信装置に対して制御信号を送信する、第１の動作位置と第２の動作位置とが切り替えられる切替部を備えた遠隔操作装置の制御方法であって、制御部が、前記切替部が前記第１の動作位置と前記第２の動作位置とのいずれであるかに応じて、前記受信装置が受信する放送サービスを選択する制御信号を送信する制御方法である。
【００１２】
また、本発明の一態様は、テレビジョン放送を受信する受信装置に対して制御信号を送信する、第１の動作位置と第２の動作位置とが切り替えられる切替部を備えた遠隔操作装置のコンピュータに、前記切替部が前記第１の動作位置と前記第２の動作位置とのいずれであるかに応じて、前記受信装置が受信する放送サービスを選択する制御信号を送信するステップ、を実行させるためのプログラムである。
【発明の効果】
【００１３】
本発明によれば、ユーザーが所望の放送サービスを視聴したい場合に的確に操作できる。
【図面の簡単な説明】
【００１４】
【図１】第１の実施形態に係る受信装置の構成の一例を示すブロック図。
【図２】第１の実施形態に係るリモコンの一例を示す外観図。
【図３】第１の実施形態に係るリモコンの機能構成の一例を示すブロック図。
【図４】リモコンが送信する制御信号に含まれるリモコンコードの一例を示す図。
【図５】第１の実施形態に係るリモコンの選局処理を示すフローチャート。
【図６】第１の実施形態に係る受信装置の選局処理を示すフローチャート。
【発明を実施するための形態】
【００１５】
以下、図面を参照して、本発明の一実施形態について説明する。
[第１の実施形態]
本発明の第１の実施形態について説明する。
（受信装置の構成）
図１は、第１の実施形態に係る受信装置１０の構成の一例を示すブロック図である。受信装置１０は、地上ジタル放送、ＢＳ（Ｂｒｏａｄｃａｓｔｉｎｇ  Ｓａｔｅｌｌｉｔｅ）デジタル放送、及びＣＳ（Ｃｏｍｍｕｎｉｃａｔｉｏｎ  Ｓａｔｅｌｌｉｔｅ）デジタル放送等を受信するテレビジョン受信装置の一例である。ここでは、地上ジタル放送、ＢＳデジタル放送、及びＣＳデジタル放送を用いて放送される番組の一部または全部は、ハイビジョン（ＨＶ：Ｈｉ−Ｖｉｓｉｏｎ）とスーパーハイビジョン（ＳＨＶ：Ｓｕｐｅｒ  Ｈｉ−Ｖｉｓｉｏｎ）とで放送されるものとする。ＳＨＶは、ＨＶより解像度が高い超高精細映像システムである。例えば、同一の番組でＨＶによる放送サービスとＳＨＶによる放送サービスとが同時に提供されている場合、ユーザーは、番組を視聴する際にＨＶとＳＨＶとのいずれを視聴するかを選択できる。
【００１６】
受信装置１０は、ＨＶとＳＨＶとのいずれの放送サービスも受信可能であり、ＨＶとＳＨＶとのいずれか選択された方の放送サービスを受信する。以下、図１を参照して、受信装置１０の構成について詳しく説明する。
受信装置１０は、デジタル放送受信用アンテナ１０２と、デジタルチューナー部１０４と、デジタル復調部１０６と、分離部（ＤＭＵＸ（ｄｅｍｕｌｔｉｐｌｅｘｅｒ；デマルチプレクサ））１０７と、ビデオデコード／キャプチャ部１０８と、ビデオセレクタ部１０９と、ＥＰＧ／ＯＳＤ／予約処理部１１０と、オーディオデコード部１１１と、ビデオ出力変換部１１２と、オーディオセレクタ部１１３と、オーディオ出力変換部１１４と、選局部１１５と、ＲＡＭ１１６と、ＣＰＵ１１７と、表示部１１８と、スピーカ１１９と、不揮発性メモリ１２０と、通信制御部１２１と、リモコン受光部１２２と、ＩＰ放送チューナー部１２５と、を含んで構成される。
【００１７】
デジタルチューナー部１０４は、デジタル放送受信用アンテナ１０２を介して受信するデジタルテレビ放送信号（地上ジタル放送、ＢＳデジタル放送、及びＣＳデジタル放送などの放送信号）を選局するもので、選局部１１５からの選局指示に応じて受信する放送局（または、放送サービス）の選局をおこなう。デジタルチューナー部１０４からの受信信号は、デジタル復調部１０６にて復調され、分離部（ＤＭＵＸ）１０７に送られる。
【００１８】
なお、図示する例では、１つのデジタル放送受信用アンテナ１０２及び１つのデジタルチューナー部１０４等がＨＶとＳＨＶのいずれの放送サービスにも対応している構成としているが、これに限られるものではない。例えば、受信装置１０は、ＨＶの放送サービスに対応したデジタル放送受信用アンテナ及びデジタルチューナー部等と、ＳＨＶの放送サービスに対応したデジタル放送受信用アンテナ及びデジタルチューナー部等とをそれぞれ備えてもよい。
【００１９】
ＩＰ放送チューナー部１２５は、電話回線やＬＡＮ（Ｌｏｃａｌ  Ａｒｅａ  Ｎｅｔｗｏｒｋ；構内通信網）等に接続された通信制御部１２１を介して受信するＩＰ（Ｉｎｔｅｒｎｅｔ  Ｐｒｏｔｃｏｌ；インターネットプロトコル）放送を選局するもので、選局部１１５からの選局指示に応じて受信する特定のＩＰ放送を選局し、出力を分離部（ＤＭＵＸ）１０７に送る。
【００２０】
分離部（ＤＭＵＸ）１０７は、デジタル復調部１０６またはＩＰ放送チューナー部１２５から入力された、多重化された映像データ、音声データを分離し、映像データをビデオデコード／キャプチャ部１０８に送り、音声データをオーディオデコード部１１１に送る。さらに、分離部（ＤＭＵＸ）１０７は、放送信号に含まれるＥＰＧデータ等のデータを抽出し、ＥＰＧ／ＯＳＤ／予約処理部１１０に送る。なお、分離部（ＤＭＵＸ）１０７によって抽出された放送波信号は、必要に応じてＣＰＵ１１７による書き込み制御によりＲＡＭ１１６に記録される。
【００２１】
ビデオデコード／キャプチャ部１０８は、分離部（ＤＭＵＸ）１０７によって分離された映像データをデコードしたり、映像データに含まれるビデオ情報を静止画としてキャプチャしたりする。上記ビデオデコード／キャプチャ部１０８によってデコードされた映像信号は、ビデオセレクタ部１０９に送られる。
【００２２】
ビデオセレクタ部１０９には、既に説明したとおり、デジタルチューナー部１０４からの映像信号が入力されており、また、外部入力部（図示せず）からの映像信号も入力されている。ビデオセレクタ部１０９は、これらの入力映像信号から１つの映像信号を選んで出力し、ビデオ出力変換部１１２に送る。
【００２３】
ビデオ出力変換部１１２は、受信した映像データを表示部１１８に表示させるための駆動回路を含む部分であり、加算回路によって加算された、ＥＰＧ／ＯＳＤ／予約処理部１１０からの電子番組表（ＥＰＧ；Ｅｌｅｃｔｒｏｎｉｃ  Ｐｒｏｇｒａｍ  Ｇｕｉｄｅ）データ、或いは、ＯＳＤ（Ｏｎ  Ｓｃｒｅｅｎ  Ｄｉｓｐｌａｙ；オンスクリーンディスプレイ）データを、ビデオセレクタ部１０９からの映像データに加えて表示部１１８に送る。表示部１１８は、送られてきた映像データを画面上に表示する。
【００２４】
オーディオデコード部１１１は、分離部（ＤＭＵＸ）１０７によって分離された音声データをデコードするものである。オーディオデコード部１１１は、デコードした音声信号をオーディオセレクタ部１１３に送る。
オーディオセレクタ部１１３では、外部入力部（図示せず）からの音声信号、および、オーディオデコード部１１１からの音声信号を受け、ビデオセレクタ部１０９で選択された映像信号に対応した音声信号を選択し、オーディオ出力変換部１１４を介して音声信号をスピーカ１１９に送る。オーディオ出力変換部１１４は、受信した音声信号をスピーカ１１９での再生に最適な信号に変換してスピーカ１１９に供給する。
【００２５】
リモコン受光部１２２は、リモコン２０からの光信号を受信して、当該リモコン２０から送信される制御信号を受け付ける。ユーザーからの指示、選局、放送サービスの切替等は、このリモコン２０を介して行われる。リモコン２０の構成については、後述する。
【００２６】
ＥＰＧ／ＯＳＤ／予約処理部１１０は、定期的に更新保存されたＥＰＧデータに基づき電子番組表を作成し、また、予め決められたレイアウト情報等に基づき、画像データ、文字データ、基本図形等を組み合わせてＯＳＤデータを作成する。ＯＳＤデータとは、例えば、予め不揮発性メモリ１２０に記憶された設定メニュー画面、音量ゲージ、現在時刻、選局チャンネル等の各種情報を描画するためのデータである。また、ＥＰＧ／ＯＳＤ／予約処理部１１０は、前記の電子番組表を利用して番組の予約処理等をおこなう。
通信制御部１２１は、電話回線、ＬＡＮ、インターネット等のネットワーク網を介して通信を確立させるように制御をおこなう。
【００２７】
（リモコンの構成）
次に、図２、３を参照してリモコン２０の構成について説明する。リモコン２０は、受信装置１０に対して制御信号を送信する遠隔操作装置の一例である。
図２は、第１の実施形態に係るリモコン２０の一例を示す外観図である。この図２では、リモコン２０に設けられているリモコンキーの一部を図示している。図示する操作釦２１、２２、２３は、それぞれ地上ジタル放送、ＢＳデジタル放送、及びＣＳデジタル放送を選択するための操作釦として機能する。
【００２８】
スライドスイッチ２４は、ＨＶとＳＨＶとを切り替えるための切替部として機能する。具体的には、スライドスイッチ２４は、ＨＶを選択する動作位置（符号２４ａが示す位置）とＳＨＶを選択する動作位置（符号２４ｂが示す位置）とのいずれかに可動部（符号２４ｃが示す部分）が移動可能に構成されている。ユーザーは、スライドスイッチ２４（可動部）を、ＨＶを選択する動作位置とＳＨＶを選択する動作位置とのいずれかに移動させる操作をのみで、ＨＶとＳＨＶとの切り替えを容易に行うことができる。図２に示す例では、スライドスイッチ２４は、ＳＨＶを選択する動作位置に移動されている状態を示している。
【００２９】
数字キー２５は、選局用の操作釦であり、図示する例では、「１」〜「１２」の１２個の数字キー２５が設けられている。なお、図示を省略しているが、リモコン２０には、入力切替釦、音量釦、番組表を表示させるためのＥＰＧ釦、カラー釦（青、赤、緑、黄）などが設けられてもよい。
【００３０】
図３は、第１の実施形態に係るリモコン２０の機能構成の一例を示すブロック図である。リモコン２０は、送信部２０１と、操作受付部２０２と、制御部２０３とを備えている。送信部２０１は、リモコン２０から送信する制御信号を光信号に変換して送信する。操作受付部２０２は、リモコン２０に設けられたリモコンキーをユーザーが操作することに応じて、操作されたことを受け付けて操作されたリモコンキーを示す操作情報を制御部２０３に受け渡す。制御部２０３は、操作受付部２０２から取得する操作情報に基づいて、操作されたリモコンキーに応じたリモコンコードを含む制御信号を生成して送信部２０１を介して送信する。
【００３１】
例えば、制御部２０３は、スライドスイッチ２４がＨＶを選択する動作位置とＳＨＶを選択する動作位置とのいずれに切り換えられた状態であるかに応じて、受信装置１０が受信する放送サービスを選択（ＨＶまたはＳＨＶの選択）する制御信号を送信する。つまり、制御部２０３は、スライドスイッチ２４がＨＶを選択する動作位置に切り換えられた状態ではＨＶの放送サービスに対応する制御信号を送信する。一方、制御部２０３は、スライドスイッチ２４がＳＨＶを選択する動作位置に切り換えられた状態ではＳＨＶの放送サービスに対応する制御信号を送信する。
【００３２】
具体的には、制御部２０３は、スライドスイッチ２４がＨＶを選択する動作位置に切り換えられた状態では、数字キー２５に対する操作に応じてＨＶの放送サービスにおける選局を示す制御信号を送信する。一方、制御部２０３は、スライドスイッチ２４がＳＨＶを選択する動作位置に切り換えられた状態では、数字キー２５に対する操作に応じてＳＨＶの放送サービスにおける選局を示す制御信号を送信する。
【００３３】
図４は、リモコン２０が送信する制御信号に含まれるリモコンコードの一例を示す図である。図示するリモコンコードの例は、数字キー２５が押下されたときにスライドスイッチ２４の切り替え状態に応じて生成されるリモコンコードの一例を示している。図示するリモコンコードの例では、ＨＶの放送サービスとＳＶＨの放送サービスとを区別可能な情報としてＨＶ/ＳＨＶ＿ＩＤが最上位ｂｉｔに割り当てられており、押下された数字キー２５（即ち、選局された番号）に対応するキーＩＤが下位ｂｉｔに割り当てられている。
【００３４】
スライドスイッチ２４がＨＶを選択する動作位置に切り換えられた状態にはＨＶ/ＳＨＶ＿ＩＤとして「０」が割り当てられ、スライドスイッチ２４がＳＨＶを選択する動作位置に切り換えられた状態にはＨＶ/ＳＨＶ＿ＩＤとして「１」が割り当てられている。また、「１」〜「１２」の数字キー２５のそれぞれには、キーＩＤとして「０００１」〜「１１００」の４ｂｉｔのデータがそれぞれ割り当てられている。例えば、数字キー２５が押下された場合、リモコン２０は、数字キー２５が押下されたときのスライドスイッチ２４の切り替え状態と押下された数字キー２５とに基づいて、ＨＶとＳＨＶのいずれが選択されているかを示すＨＶ/ＳＨＶ＿ＩＤと、押下された数字キー２５に対応するキーＩＤとが含まれるリモコンコードを生成し、制御信号として送信する。
【００３５】
例えば、スライドスイッチ２４がＨＶを選択する動作位置に切り換えられた状態で「１」の数字キー２５が押下された場合のリモコンコードは、「００００１」となる。また、スライドスイッチ２４がＳＨＶを選択する動作位置に切り換えられた状態で「１」の数字キー２５が押下された場合のリモコンコードは、「１０００１」となる。
【００３６】
なお、図３を参照して説明したリモコンコードは一例であって、これに限られるものではない。例えば、ＨＶ/ＳＨＶ＿ＩＤ及びキーＩＤのｂｉｔ数及び配列は任意に設定してもよい。また、リモコンコードには、ＨＶ/ＳＨＶ＿ＩＤ及びキーＩＤ以外の情報が含まれてもよい。
【００３７】
（リモコンの動作）
次に、図５を参照して、リモコン２０の動作について説明する。
図５は、第１の実施形態に係るリモコン２０の選局処理を示すフローチャートである。
選局操作として数字キー２５が押下されると、リモコン２０は、押下された数字キー２５を示す操作情報を取得する（ステップＳ１０１）。
次に、リモコン２０は、数字キー２５が押下されたときのスライドスイッチ２４の切り替え状態を示す操作情報を取得し、ＨＶが選択されているか、またはＳＨＶが選択されているかを判定する（ステップＳ１０２）。
【００３８】
ステップＳ１０２においてＨＶが選択されていると判定された場合、リモコン２０は、ＨＶ/ＳＨＶ＿ＩＤ（最上位ｂｉｔ）を「０」とし、且つ押下された数字キー２５に対応するキーＩＤを下位ビットとしたリモコンコードを生成し、制御信号として送信する（ステップＳ１０３）。
【００３９】
一方、ステップＳ１０２においてＳＨＶが選択されていると判定された場合、リモコン２０は、ＨＶ/ＳＨＶ＿ＩＤ（最上位ｂｉｔ）を「１」とし、且つ押下された数字キー２５に対応するキーＩＤを下位ビットとしたリモコンコードを生成し、制御信号として送信する（ステップＳ１０４）。
【００４０】
（受信装置の動作）
次に、図６を参照して、受信装置１０の動作について説明する。
図６は、第１の実施形態に係る受信装置１０の選局処理を示すフローチャートである。
受信装置１０は、リモコン２０から送信された制御信号（リモコンコード）を受信すると（ステップＳ２０１）、受信したリモコンコードの最上位ｂｉｔを判定する（ステップＳ２０２）。
【００４１】
ステップＳ２０２において最上位ｂｉｔが「０」であると判定された場合、受信装置１０は、受信したリモコンコードがＨＶ用のリモコンコードであると判断し、ステップＳ２０５の処理に進む（ステップＳ２０３）。ステップＳ２０５では、受信装置１０は、受信したリモコンコードの下位ｂｉｔのキーＩＤをＨＶの選局情報として選局を行い、選局されたＨＶの放送サービスを受信する（ステップＳ２０５）。
【００４２】
一方、ステップＳ２０２において最上位ｂｉｔが「１」であると判定された場合、受信装置１０は、受信したリモコンコードがＳＨＶ用のリモコンコードであると判断し、ステップＳ２０５の処理に進む（ステップＳ２０４）。ステップＳ２０５では、受信装置１０は、受信したリモコンコードの下位ｂｉｔのキーＩＤをＳＨＶの選局情報として選局を行い、選局されたＳＨＶの放送サービスを受信する（ステップＳ２０５）。
【００４３】
以上説明したように、本実施形態に係るリモコン２０は、テレビジョン放送を受信する受信装置１０に対して制御信号を送信する遠隔操作装置であって、ＨＶを選択する動作位置（第１の動作位置の一例）とＳＨＶを選択する動作位置（第２の動作位置の一例）とを切り替え可能なスライドスイッチ２４（切替部の一例）を備えている。そして、リモコン２０は、スライドスイッチ２４がＨＶを選択する動作位置とＳＨＶを選択する動作位置とのいずれに切り換えられた状態であるかに応じて、受信装置１０が受信する放送サービスを選択する制御信号を送信する。例えば、リモコン２０は、スライドスイッチ２４がＨＶを選択する動作位置に切り換えられた状態ではＨＶ（第１の放送サービスの一例）に対応する制御信号を送信する。一方、スライドスイッチ２４がＳＨＶを選択する動作位置に切り換えられた状態ではＳＨＶ（第２の放送サービスの一例）に対応する制御信号を送信する。
【００４４】
このように、本実施形態に係るリモコン２０は、ＨＶとＳＨＶを切り替えるスライドスイッチ２４が設けられているので、ユーザーがＨＶとＳＨＶのいずれを視聴したい場合でも容易な操作で視聴することができる。すなわち、リモコン２０は、ユーザーが所望の放送サービスを視聴したい場合に的確に操作ができる。
【００４５】
具体的には、リモコン２０は、選局用の複数の数字キー２５を備えており、数字キー２５に対する操作に応じて選局を示す制御信号を送信する。このとき、リモコン２０は、スライドスイッチ２４がＨＶを選択する動作位置に切り換えられた状態では、数字キー２５に対する操作に応じてＨＶの放送サービスにおける選局を示す制御信号を送信する。一方、リモコン２０は、スライドスイッチ２４がＳＨＶを選択する動作位置に切り換えられた状態では、数字キー２５に対する操作に応じてＳＨＶの放送サービスにおける選局を示す制御信号を送信する。
【００４６】
これにより、リモコン２０は、スライドスイッチ２４でＨＶが選択されている場合には数字キー２５でＨＶの放送サービスを選局することができ、ＳＨＶが選択されている場合には数字キー２５でＳＨＶの放送サービスを選局することができる。よって、リモコン２０は、受信装置１０でいずれの放送サービスを受信中であっても、ユーザーが視聴したい放送サービスを容易な操作で選局することができる。また、ユーザーは、スライドスイッチ２４の状態を確認することで、ＨＶとＳＨＶのいずれが選択されている状態かを容易に判別できる。
【００４７】
また、ＨＶの番組数が多い場合には、基本的にスライドスイッチ２４でＨＶを選択した状態で利用し、ＳＨＶの番組数が多い場合には、基本的にスライドスイッチ２４でＳＨＶを選択した状態で利用するといった形態になるので、リモコンキーに対する無駄な操作を防ぐことができる。さらには、最終的に全ての放送局がＳＨＶのみを放送する事になっても スライドスイッチ２４をＳＨＶモードに切り替えてしまえば、従来のリモコンと変わらない感覚で利用する事ができる。
【００４８】
また、リモコン２０は、ＨＶとＳＨＶを区別可能な情報を示す少なくとも１ｂｉｔ（例えば、最上位の１ｂｉｔ）の情報を含む制御信号を送信する。これにより、リモコン２０から制御信号を受けた受信装置１０は、制御信号に含まれる上記の１ｂｉｔの情報に基づいてＨＶとＳＨＶのいずれの選局であるかを判別することができ、ＨＶとＳＨＶのいずれかを適切に受信することできる。
【００４９】
[第２の実施形態]
次に、本発明の第２の実施形態について説明する。本実施形態に係る受信装置１０及びリモコン２０の基本的な構成は、図１〜３に示す構成と同様であるためその説明を省略し、本実施形態で特徴的な処理について説明する。
【００５０】
リモコン２０は、スライドスイッチ２４が切り替えられたときに、切り替え後の放送サービスを示す制御信号を送信してもよい。例えば、リモコン２０の制御部２０３は、スライドスイッチ２４がＨＶを選択する動作位置（第１の動作位置の一例）からＳＨＶを選択する動作位置（第２の動作位置の一例）に切り換えられたことに応じて、受信装置１０が受信する放送サービスを選択する制御信号としてＳＨＶが選択されたことを示す制御情報を送信してもよい。この場合、この制御信号を受け取った受信装置１０は、受信中のＨＶの放送サービスと同じ放送局（番組）のＳＨＶの放送サービスへ切り替える。これにより、ユーザーは、スライドスイッチ２４を操作するのみで、視聴中の番組をＨＶからＳＨＶに切り換えることができる。
【００５１】
また、リモコン２０の制御部２０３は、スライドスイッチ２４がＳＨＶを選択する動作位置（第２の動作位置の一例）からＨＶを選択する動作位置（第１の動作位置の一例）に切り換えられたことに応じて、受信装置１０が受信する放送サービスを選択する制御信号としてＨＶが選択されたことを示す制御情報を送信してもよい。この場合、この制御信号を受け取った受信装置１０は、受信中のＳＨＶの放送サービスと同じ放送局（番組）のＨＶの放送サービスへ切り替える。これにより、ユーザーは、スライドスイッチ２４を操作するのみで、視聴中の番組をＳＨＶからＨＶに切り換えることができる。
【００５２】
このように、本実施形態に係るリモコン２０は、ユーザーがスライドスイッチ２４を切り替えるのみで、視聴中の番組をＨＶからＳＨＶに、またはＳＨＶからＨＶに切り替えることができる。よって、リモコン２０は、ユーザーがＨＶとＳＨＶのいずれを視聴したい場合でも容易な操作で視聴することができる。すなわち、リモコン２０は、ユーザーが所望の放送サービスを視聴したい場合に的確に操作ができる。
【００５３】
なお、本実施形態に係るリモコン２０では、第１の実施形態で説明したように数字キー２５が押下されたことに応じて、押下されたときのＨＶとＳＨＶの切り替え状態を示すＨＶ/ＳＨＶ＿ＩＤを付加した制御進行（コマンドデータ）を送信してもよいし、ＨＶ/ＳＨＶ＿ＩＤを付加せずに制御進行（コマンドデータ）を送信してもよい。
【００５４】
例えば、リモコン２０は、数字キー２５が押下されたことに応じて、ＨＶ/ＳＨＶ＿ＩＤを付加した制御進行を送信する場合には、それ以前にスライドスイッチ２４が切り替えられたときに送信した制御信号が受信装置１０に届かなかった場合でも、選択されている放送サービスを受信装置１０に正しく伝えることができる。すなわち、リモコン２０は、スライドスイッチ２４が切り替えられたときに送信した制御信号が受信装置１０に届かなかった場合でも、リモコン２０の側に新たに状態保持機構などを設けなくとも、次に数字キーが押下されたときに（次の選局操作のときに）、選択されている放送サービス（ＨＶまたはＳＨＶ）に切り替え可能である。
【００５５】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の第１、第２の実施形態において説明した各構成は、任意に組み合わせることができる。
【００５６】
なお、リモコン２０のスライドスイッチ２４で切り替える放送サービスとして、ＨＶとＳＶＨを例に説明したがこれに限られるものではなく、任意の放送サービスを対象としてよい。例えば、ＨＶとＳＨＶは、解像度が異なる放送サービスの一例であり、ＨＶ及びＳＨＶ以外の解像度が異なる放送サービスをスライドスイッチ２４で切り替え可能な構成としてもよい。また、地上ジタル放送、ＢＳデジタル放送、及びＣＳデジタル放送をスライドスイッチ２４で切り替え可能な構成としてもよい。また、スライドスイッチ２４で切り替える放送サービスは、２種類の放送サービスに限らず、３種類以上の放送サービスとしてもよい。
【００５７】
なお、上述した実施形態における受信装置１０またはリモコン２０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０またはリモコン２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５８】
１０  受信装置、２０  リモコン、２１，２２，２３  操作釦、２４  スライドスイッチ、２５  数字キー、１０２  デジタル放送受信用アンテナ、１０４  デジタルチューナー部、１０６  デジタル復調部、１０７  分離部、１０８  ビデオデコード／キャプチャ部、１０９  ビデオセレクタ部、１１０  ＥＰＧ／ＯＳＤ／予約処理部、１１１  オーディオデコード部、１１２  ビデオ出力変換部、１１３  オーディオセレクタ部、１１４  オーディオ出力変換部、１１５  選局部、１１６  ＲＡＭ、１１７  ＣＰＵ、１１８  表示部、１１９  スピーカ、１２０  不揮発性メモリ、１２１  通信制御部、１２２  リモコン受光部、１２５  ＩＰ放送チューナー部、２０１  送信部、２０２  操作受付部、２０３  制御部
【図１】
2017055284.tif 000003
【図２】
2017055284.tif 000004
【図３】
2017055284.tif 000005
【図４】
2017055284.tif 000006
【図５】
2017055284.tif 000007
【図６】
2017055284.tif 000008